(57)【要約】  【課題】  情報処理装置から画像処理装置における種々の設定をリモート操作により変更する際の利便性を向上した画像処理装置を提供する。  【解決手段】  画像処理ジョブを実行する画像処理手段５と、画像処理ジョブを管理するジョブ管理手段１０と、前記ジョブ管理手段１０により管理される管理情報を記憶する管理情報記憶手段１２と、前記管理情報記憶手段１２に記憶された管理情報を、操作部またはネットワーク接続された外部機器８からの管理情報設定変更要求に基づいて設定変更する管理情報設定手段１１とを備えて構成される画像処理装置であって、前記管理情報設定手段１１は、前記画像処理手段５による画像処理ジョブの実行中に、前記外部機器８からの管理情報設定変更要求がなされたとき、当該管理情報設定変更要求を蓄積し、前記画像処理ジョブ終了後に当該管理情報設定変更要求を実行するように構成する。【選択図】  図３
2006157122.tif 000002
【特許請求の範囲】
【請求項１】
画像処理ジョブを実行する画像処理手段と、前記画像処理手段により実行される画像処理ジョブを管理するジョブ管理手段と、前記ジョブ管理手段により管理される管理情報を記憶する管理情報記憶手段と、前記管理情報記憶手段に記憶された管理情報を、操作部から入力された管理情報設定変更要求またはネットワーク接続された外部機器からの管理情報設定変更要求に基づいて設定変更する管理情報設定手段とを備えて構成される画像処理装置であって、
前記管理情報設定手段は、前記画像処理手段による画像処理ジョブの実行中または前記操作部からの管理情報設定変更操作中に、前記外部機器からの管理情報設定変更要求がなされたとき、当該管理情報設定変更要求を蓄積し、前記画像処理ジョブまたは前記操作部からの管理情報設定変更操作の終了後に当該管理情報設定変更要求を実行するように構成されている画像処理装置。
【請求項２】
前記管理情報が、アカウント管理情報である請求項１記載の画像処理装置。
【請求項３】
前記管理情報が、前記操作部で設定されるジョブ実行モードのデフォルト値である請求項１記載の画像処理装置。
【請求項４】
前記管理情報が、前記操作部に表示される言語種別である請求項１記載の画像処理装置。
【発明の詳細な説明】
【技術分野】
【０００１】
本発明は、情報処理装置と接続可能な画像処理装置に関する。
【背景技術】
【０００２】
近年のプリンタや、複写機、ファクシミリ、並びにこれらの複合機を含む画像処理装置は、ローカルユーザーインターフェース（ローカルＵＩ）とリモートユザーインターフェース（リモートＵＩ）を備えることにより、画像処理装置本体からの操作はもとより、情報処理装置（ホストＰＣ）からのリモート操作により、画像出力そのものの他、出力画像濃度設定や優先倍率設定、或いは出力用紙の選択等といった初期設定や、ユーザー設定の変更、部門管理情報の管理等を行なうことが可能となっている。
【０００３】
特にリモート操作を行う手段としては、例えば、特許文献１のように、画像形成装置本体と、入力データに基づいて前記画像形成装置本体の画像形成に関する制御を行い得るＣＰＵと、画像形成に必要なデータを記憶した第一メモリとを有し、かつ、画像形成装置本体に設けられた操作部と、前記第一メモリに記憶されているデータと同一のデータを格納する第二のメモリとＣＰＵを有する画像処理ユニットと、前記第二メモリからのデータを取り込むことができるとともに前記画像処理ユニットを介して前記操作部に接続されたワークステーションとを備え、前記ワークステーションと画像処理ユニット間及び前記画像処理ユニットと操作部間でデータ通信を行なうことができるとともに、前記ワークステーションの操作によって発生する指令に基づいて前記第一メモリへのデータの設定・変更の制御を行えるようにしたものがある。
【０００４】
また情報処理装置の設定を変更する方法としては、特許文献２のように、ネットワークに接続されたサーバ・コンピュータが、ハードウェアの設定を行なうハードウェア設定プログラムと、このハードウェア設定プログラムが実行時に使用するハードウェア設定用ダイナミック・リンク・モジュールと、前記ハードウェア設定プログラムを実行するスモール・プログラムとを準備するステップと、ハードウェアの設定を行なうコンピュータが前記サーバ・コンピュータにアクセスするステップと、ハードウェアの設定を行なう前記コンピュータが、前記サーバ・コンピュータ上で、前記スモール・プログラムを実行するステップと前記スモール・プログラムが、前記ハードウェア設定用ダイナミック・リンク・モジュールをハードウェアの設定を行なう前記コンピュータへ転送するステップと、前記スモール・プログラムが、前記ハードウェア設定プログラムをプログラム自体は前記サーバ・コンピュータ側に置いたままの状態で、ハードウェアの設定を行なう前記メモリ上で実行するステップとにより行なうものがある。
【０００５】
しかし、リモートＵＩとローカルＵＩを備えた画像処理装置においては、一方のユーザーインターフェースを操作中に他のユーザーインターフェースが操作されると、それぞれのユーザーが実際に画像処理装置に設定されている情報を正確に把握できないという問題があった。
【０００６】
このため、特許文献３のように、情報処理装置と接続可能な画像処理装置であって、前記情報処理装置からの要求に応じて、該要求を認証するための前記情報処理装置からの認証情報に基づいて認証処理を行なう認証処理手段と、前記認証処理手段による認証結果に基づいて、前記情報処理装置からの要求が認められた場合、前記画像処理装置に関する情報を示し前記画像処理装置の操作を行なうための画面内容が記述された表示情報を、前記画像処理装置から前記情報処理装置に送信する表示情報送信手段と、前記画像処理装置の操作部又はカードリータから入力される認証情報により認証処理を行なう第２の認証処理手段とを有し、前記第２の認証処理手段による認証結果に基づいて、前記操作部からの要求が認められている間は、前記情報処理装置からの前記画像処理装置を操作する要求が許可されないようにしたものがある。
【特許文献１】特開平７−３６３６４号公報
【特許文献２】特開２０００−２５９３９６号公報
【特許文献３】特開２００２−３５９７１８号公報
【発明の開示】
【発明が解決しようとする課題】
【０００７】
上述したように、情報処理装置からリモート操作によって種々の設定変更を行なう際、画像処理装置本体からの操作が行なわれていないとき、或いは、実行中でないときのみに許可するといった制御を行うと、一旦許可されなかった後、次に許可されるタイミングを待つことになり不都合である。特に情報処理装置からのリモート操作においては、画像処理装置を遠隔からリモート操作することが多く、画像処理装置の実行状態を直接的に確認することができないため、次に許可されるタイミングの予測が難しく非常に不便なものであった。
【０００８】
本発明の目的は、上述した従来の問題点に鑑み、情報処理装置から画像処理装置における種々の設定をリモート操作により変更する際の利便性を向上した画像処理装置を提供する点にある。
【課題を解決するための手段】
【０００９】
上述の目的を達成するため、本発明による画像処理装置の第一の特徴構成は、特許請求の範囲の書類の請求項１に記載した通り、画像処理ジョブを実行する画像処理手段と、前記画像処理手段により実行される画像処理ジョブを管理するジョブ管理手段と、前記ジョブ管理手段により管理される管理情報を記憶する管理情報記憶手段と、前記管理情報記憶手段に記憶された管理情報を、操作部から入力された管理情報設定変更要求またはネットワーク接続された外部機器からの管理情報設定変更要求に基づいて設定変更する管理情報設定手段とを備えて構成される画像処理装置であって、前記管理情報設定手段は、前記画像処理手段による画像処理ジョブの実行中または前記操作部からの管理情報設定変更操作中に、前記外部機器からの管理情報設定変更要求がなされたとき、当該管理情報設定変更要求を蓄積し、前記画像処理ジョブまたは前記操作部からの管理情報設定変更操作の終了後に当該管理情報設定変更要求を実行するように構成されている点にある。
【００１０】
上述の構成によれば、画像処理装置はジョブ実行中に管理情報の設定について変更要求された場合に、一旦、管理情報設定手段によって設定の変更内容を蓄積し、画像処理ジョブ終了後速やかに管理情報の設定変更を実行するため、ユーザーは画像処理装置の動作状態に拘らず、確実に管理情報の設定変更を行なうことができるのである。また、画像処理装置は画像処理ジョブ実行中に当該ジョブ実行中の画像処理における設定については変更を行なうことがないため、当初の設定に基づいて確実に画像処理ジョブを継続することが可能となるのである。
【００１１】
同第二の特徴構成は、請求項２に記載した通り、前記管理情報が、アカウント管理情報である点にある。
【００１２】
上述の構成によれば、確実に部門或いはユーザー管理を行なうことが可能となるのである。
【００１３】
同第三の特徴構成は、請求項３に記載した通り、前記管理情報が、前記操作部で設定されるジョブ実行モードのデフォルト値である点にある。
【００１４】
同第四の特徴構成は、請求項４に記載した通り、前記管理情報が、前記操作部に表示される言語種別である点にある。
【発明の効果】
【００１５】
以上説明した通り、本発明によれば、情報処理装置から画像処理装置における種々の設定をリモート操作により変更する際の利便性を向上した画像処理装置を提供することができるようになった。
【発明を実施するための最良の形態】
【００１６】
以下に本発明による画像処理装置の実施の形態を説明する。本発明にかかる画像処理システムの全体の構成は、図１に示すように、画像処理装置としてのデジタル複写機１とリモートＵＩを備える情報処理装置８（外部機器）とがＬＡＮ９などのネットワーク伝送手段によって接続されている。
【００１７】
前記デジタル複写機１は、図２に示すように、ローカルＵＩを備える操作表示手段７と、画像情報を入力する画像情報入力手段２と、前記画像情報入力手段２により入力された画像情報を格納するストレージデバイス３と、前記ストレージデバイス３から読み出された前記画像情報に基づいて所定の処理を実行する画像処理手段５と、前記ストレージデバイス３に対する前記画像情報の書込み処理または読出し処理を実行するとともに、前記画像処理手段による処理の終了後に前記画像情報を削除するファイル管理手段４の各機能ブロックと、各機能ブロックを統括制御するシステム制御手段６を備えて構成されている。
【００１８】
ここに、各機能ブロックには、マイクロコンピュータ、ＲＯＭ、ＲＡＭ、出力ドライバ回路、入力バッファ回路などを備えてなる制御ボードが実装され、同じくマイクロコンピュータ、ＲＯＭ、ＲＡＭ等を備えたシステム制御手段６との間で通信可能に接続されている。また、前記システム制御手段６は前記ＬＵＮ９を介して前記リモートＵＩを備える情報処理装置８と接続されている。
【００１９】
前記画像情報入力手段２は、コンタクトガラス２ａ上に配置された自動原稿搬送装置２ｂと、自動原稿搬送装置２ｂによりコンタクトガラス２ａ上に給送された原稿を読取走査する露光ランプ２ｃ及び原稿からの反射光を反射する第１ミラー２ｄを備えた第１スライダー２Ａと、第１ミラー２ｄによって反射された光を集光レンズ２ｇに導くための第２及び第３ミラー２ｅ、２ｆを備えた第２スライダー２Ｂと、集光レンズ２ｇからの光情報を電気信号に変換する固体撮像素子２ｈと、固体撮像素子２ｈの出力信号を画像情報としてのデジタルデータに変換する量子化処理、ノイズ除去処理、圧縮処理などを行なう入力画像処理部２ｉにより構成されている。
【００２０】
前記画像処理手段５は、画像形成部と記録紙搬送部を備えて構成され、前記画像形成部は、図示しないメイン駆動モータによって矢印の方向に回転駆動される感光体ドラム５ａ周囲に、その回転方向の順に、感光体ドラム５ａの表面の感光層を帯電させる帯電器５ｂ、感光層上に形成された静電潜像をトナー顕像として顕像化する現像装置５ｃ、感光層上に形成されたトナー顕像を記録紙に転写する転写用放電器５ｄ、感光体ドラム５ａから記録紙を分離するための分離用放電器５ｅ、転写後の感光体ドラム５ａ上に残留しているトナーを除去するクリーニング装置５ｆ及び感光体ドラム５ａ表面の電荷を除去する除電器５ｇを配置して構成され、帯電器５ｂにより一様に帯電された感光層に、前記ストレージデバイス３から読み出され伸張処理の後にビットマップメモリ５ｉに展開された画像情報に基づいてレーザユニット５ｈから出力されるレーザ光が照射されて静電潜像が形成され、前記現像装置５ｃによりトナー像が形成される。
【００２１】
前記記録紙搬送部は、給紙カセット５ｎ内の記録紙を給紙する給紙ローラ５ｊと、給紙ローラ５ｊによって送られてきた記録紙を所定のタイミングで感光体ドラム５ａに搬送するためのレジストローラ５ｋ及び感光体ドラム５ａ上に形成されたトナー顕像が転写されかつ感光体ドラム５ａから剥離された記録紙を定着ローラ５ｍまで搬送する搬送ベルト５ｌを備えている。定着ローラ５ｍによって定着処理された記録紙は、図示しない排出機構を介して排出トレイ上に排出される。
【００２２】
図３に示すように、前記システム制御手段６は、上述した各機能ブロックに制御コマンドを発し、各機能ブロックからのレポートを受信して所定の画像形成動作が正常に行なわれるように制御する。
【００２３】
前記システム制御手段６は、管理情報を設定変更する管理情報設定手段１１と、前記管理情報を格納する管理情報記憶手段１２と、上述した各機能ブロックに制御コマンドを送信し各機能ブロックからのレポートを受信して所定の画像形成動作が正常に行われるように制御するジョブ管理手段１０と、前記管理情報に基づいてジョブ管理手段１０の実行状態を記録する管理情報記録手段１３と、前記操作表示部０７或いは情報処理装置８にメッセージ表示するメッセージ表示手段１４とを備えて構成されている。
【００２４】
前記ジョブ管理手段１０は、本体上面に配置された前記操作表示手段７または前記情報処理装置８から設定入力された記録紙サイズ、倍率、濃度などの動作モードを操作レポートとして取り込み、プリントスイッチの操作信号が操作レポートとして入力されると、前記画像情報入力手段２に原稿の読取コマンドを発して原稿情報を読み込ませ、前記ストレージデバイス３に書込みコマンドを発して前記画像情報入力手段２により読み込まれた画像情報を格納させるとともに、前記画像処理手段５にプリントコマンドを発して対応するサイズの記録紙を前記画像形成部に供給させる。さらに前記ストレージデバイス３に読出しコマンドを発して格納されている画像情報を前記レーザユニット５ｈに供給させることにより記録紙に原稿画像を複写させる。記録紙が排出トレイに排出されたことを前記画像処理手段からの排紙レポートで確認すると、前記ストレージデバイス３に削除コマンドを発して格納されている画像情報を削除させる。
【００２５】
前記管理情報設定手段１１は、前記メッセージ表示手段１４を介して対話形式により操作表示手段７または前記情報処理装置８から要求された管理情報の設定変更に対して、前記ジョブ管理手段１０の実行状態に基づいて前記管理情報記憶手段１２に格納する。
【００２６】
前記管理情報設定手段１１による管理情報の設定変更について図４に示すフローチャートを用いて説明する。
【００２７】
前記操作表示手段７或いは前記情報処理装置８から、アカウント管理情報や、ジョブ実行モードのデフォルト値や、前記操作表示手段７或いは前記情報処理装置８に表示する言語表示種別等の管理情報の設定変更要求（Ｓ１）があると、前記管理情報設定手段１１は、対話形式により管理情報の設定変更内容を順次確認し（Ｓ２）、その管理情報の設定変更内容を一旦管理情報設定手段１１自身に蓄積する（Ｓ３）。
【００２８】
例えば、ユーザーが前記操作表示手段７或いは前記情報処理装置８により管理情報の設定変更を選択すると、前記メッセージ表示手段１４を介して前記操作表示手段７または前記情報処理装置８には図５（ａ）に示すように、「部門管理」、「ハードディスク管理」、「レポート出力」、「カウンタ確認」等といったアカウント管理情報設定選択キーと、「コピー初期設定」、「マシン初期設定」、「原稿サイズ登録」等といったジョブ実行モードのデフォルト値設定選択キーと、「言語切替」といった機能設定選択キーが表示され、それぞれの管理情報の設定変更が可能となっている。
【００２９】
前記「部門管理」は部門やユーザー毎に前記画像処理装置の使用権限等の設定を行なうことが可能となっている。前記「ハードディスク管理」は、オプションのハードディスクの空き容量の確認と無効なデータの消去を行なうことが可能となっている。前記「レポート出力」はコピー初期設定項目、マシン初期設定項目等の初期値の出力が可能となっている。前記「カウンタ確認」は部門やユーザー毎の或いはトータルの複写枚数の参照やカウンタのクリアを行なうことが可能となっている。前記「コピー初期設定」は前記画像処理装置の初期設定を行なうもので、例えば、複写濃度の手動／自動選択、複写濃度の階調数、原稿の画質、用紙選択、優先倍率等の設定を行なうことが可能となっている。前記「マシン初期設定」はジョブ実行後自動的に電源をＯＦＦする時間や、ジョブ実行後自動的に低電力モードになる時間、前記前記操作表示手段７でのタッチパネル音の設定、日時設定等の設定を行なうことが可能となっている。前記「言語切替」は前記操作表示手段７或いは前記情報処理装置８で表示される表示言語の設定を行なうことが可能となっている。
【００３０】
例えば、アカウント管理情報として新規に部門登録を行なう場合には、図５に示すフローチャート、或いは、図６及び図７に示す入力画面に従って管理情報の詳細設定が順次行なわれる。つまり、『管理情報初期設定』画面で「部門管理」を選択実行し（図６（ａ）、ＳＳ１）、『部門管理』画面で「部門編集」を選択実行し（図６（ｂ）、ＳＳ２）、『部門編集』画面で「新規登録」を選択実行し（図６（ｃ）ＳＳ３）、『新規登録』画面で部門コードを選んで「設定値変更」を選択実行し（図５（ｄ）、ＳＳ４）、『部門コード入力』画面で任意の部門コードを入力し「閉じる」を選択実行し（図６（ｅ）、ＳＳ５）、再び『新規登録』画面で表示名を選んで「設定値変更」を選択実行し（図６（ｆ）、ＳＳ６）、『登録名入力』画面で登録名を入力設定し「入力終了」を選択実行し（図６（ｇ）、ＳＳ７）、正しく部門コードと登録名の入力が完了していれば（ＳＳ８）、『新規登録』画面で「次へ」を選択実行し（図６（ｈ）、ＳＳ９）、引き続き使用権限の管理情報設定項目へと進む。また、部門コードと登録名を入力し直したい場合には、再度部門コード或いは登録名を選び「設定値変更」を選択実行することが可能となっている。
【００３１】
また、使用権限の設定は『使用制限』画面で、コピー制限等の設定を行なうことが可能となっている。つまり、『使用制限』画面でコピー制限を選んで「設定変更」を選択実行し（図７（ａ）、ＳＳ１０）、『使用可否選択』画面で「使用する」或るいは「使用不可」を選択実行し（図７（ｂ）、ＳＳ１１）、『使用制限』画面で「登録」を選択実行し（図７（ｃ）、ＳＳ１２）、『部門編集』画面で「閉じる」を選択実行する（図７（ｄ）、ＳＳ１３）ことにより、新規に部門登録と使用権限の設定が可能となっている。
【００３２】
前記管理情報設定手段１１は、前記管理情報の設定変更が完了すると、前記ジョブ管理手段１０の状態の確認を行なう（Ｓ４）。つまり、前記ジョブ管理手段１０が前記画像処理手段５の画像処理ジョブを実行中であるか、または、前記操作表示手段７により操作されているか否かの確認を行なう。
【００３３】
画像処理ジョブ実行中でなく、かつ、前記操作表示手段７から操作中でない場合、前記管理情報設定手段１１は速やかに前記管理情報記憶手段１２に設定変更された管理情報を格納する（Ｓ５）。また、画像処理ジョブ実行中、或いは、前記操作表示手段７から操作中の場合、前記管理情報設定手段１１は画像処理ジョブ実行終了後、或いは、前記操作表示手段７からの操作終了後、速やかに前記管理情報記憶手段１２に設定変更された管理情報を格納する。
【００３４】
前記画像処理ジョブ実行終了後とは、画像処理ジョブ実行中でなければいずれのタイミングでもよく、例えば、ジョブ終了直後、オートシャットオフのタイミング、オートクリアのタイミング、リセットキーオンのタイミングなどに行なってもよい。また、いずれのタイミングの場合においても、前述した管理情報の設定により適宜変更可能となっている。
【００３５】
つまり、前記ジョブ管理手段１０は、前記管理情報記憶手段１２に記憶された管理情報に基づいて各制御ブロックを制御するのであるが、画像処理ジョブ実行中、或いは、前記操作表示手段７から操作中には前記管理情報記憶手段１２は更新されることがなく、安定して各制御ブロックを制御することが可能となっている。
【００３６】
上述した実施形態では、画像処理装置として複写機を例に説明したが、画像処理装置としてはこれに限定されるものではなく、スキャナ装置を備えたファクシミリ装置、プリンタやファクシミリ機能が搭載された複合機などにも適用可能であることはいうまでもない。
【図面の簡単な説明】
【００３７】
【図１】画像処理システムの全体構成の説明図
【図２】画像処理装置の要部の説明図
【図３】画像処理装置の機能ブロック構成図
【図４】管理情報の設定変更におけるフローチャート
【図５】新規に部門登録を行なう場合におけるフローチャート
【図６】新規に部門登録を行なう場合における表示画面の説明図
【図７】新規に部門登録を行なう場合における表示画面の説明図
【符号の説明】
【００３８】
２：画像情報入力手段
３：ストレージデバイス
４：ファイル管理手段
５：画像処理手段
６：システム制御手段
７：操作表示手段
８：情報処理装置（外部機器）
９：ＬＵＮ
１０：ジョブ管理手段
１１：管理情報設定手段
１２：管理情報記憶手段
１３：管理情報記録手段
１４：メッセージ表示手段
【図２】
2006157122.tif 000003
【図３】
2006157122.tif 000004
【図４】
2006157122.tif 000005
【図５】
2006157122.tif 000006
【図６】
2006157122.tif 000007
【図７】
2006157122.tif 000008
【図１】
2006157122.tif 000009